【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
重合性単量体、顔料、顔料分散剤および結晶性ポリエステル樹脂を含有するトナー粒子を有するトナーの製造方法であって、
水系媒体中で、前記重合性単量体、前記顔料、前記顔料分散剤および前記結晶性ポリエステル樹脂を含有する重合性単量体組成物の粒子を形成し、
前記粒子に含有される前記重合性単量体を重合させることによってトナー粒子を得、
前記重合性単量体が、ビニル系共重合体を得るための重合性単量体であり、
前記顔料分散剤が、以下の（ｉ）〜（ｖ）を満たすことを特徴とするトナー：
（ｉ）前記顔料分散剤のＳＰ値（Ａ）と前記結晶性ポリエステル樹脂のＳＰ値（Ｂ）との差（Ａ−Ｂ）が、−１．５以上＋０．８以下であり、
（ｉｉ）前記顔料分散剤のＳＰ値（Ａ）と前記ビニル系共重合体のＳＰ値（Ｃ）との差（Ａ−Ｃ）が、−１．１以上＋１．２以下であり、
（ｉｉｉ）前記顔料分散剤が、ポリマー成分と前記顔料に吸着する吸着成分とを有し、前記ポリマー成分が、ビニル系重合体であり、
（ｉｖ）前記顔料分散剤の前記ポリマー成分の数平均分子量（Ｍｎ）が、３０００以上２００００以下であり、
（ｖ）前記顔料分散剤の前記顔料への吸着率が、３０％以上である、ことを特徴とするトナーの製造方法。
【請求項２】
前記顔料分散剤の前記ポリマー成分が、下記式（６）で示されるユニットを有する請求項１に記載のトナーの製造方法。
【化１】
2015064566.tif 000001
（式（６）中、Ｒ８は、水素原子、または、アルキル基を示す。Ｒ７は、フェニル基、カルボキシ基、カルボン酸エステル基、または、カルボン酸アミド基を示す。）
【請求項３】
前記顔料分散剤の前記ポリマー成分が、下記式（１）で示されるユニットを有する請求項１または２に記載のトナーの製造方法。
【化２】
2015064566.tif 000002
（式（１）中、Ｒ１は、水素原子、または、アルキル基を示す。Ｒ２は、水素原子、アルキル基、フェニル基、アラルキル基、または、アミド基を示す。）
【請求項４】
前記顔料分散剤の前記ポリマー成分が、下記式（２）で示されるユニットを有する請求項１または２に記載のトナーの製造方法。
【化３】
2015064566.tif 000003
（式（２）中、Ｒ３は、水素原子、または、アルキル基を示す。）
【請求項５】
前記顔料分散剤の吸着成分が、下記式（３）で示される部分構造を有する請求項１〜４のいずれか１項に記載のトナーの製造方法。
【化４】
2015064566.tif 000004
（式（３）中、Ｒ４、Ｒ５およびＡｒのいずれかは、単結合または連結基を介して前記ポリマー成分が結合する構造である。
Ｒ４は、アルキル基、フェニル基、−ＯＲ８で示される１価の基（Ｒ８は、水素原子、アルキル基、フェニル基、または、アラルキル基を示す。）、または、−ＮＲ９Ｒ１０で示される１価の基（Ｒ９およびＲ１０は、それぞれ独立して、水素原子、アルキル基、フェニル基、または、アラルキル基を示す。）、あるいは、単結合または連結基を介して前記ポリマー成分が結合する構造（この場合、アルキル基、フェニル基、−ＯＲ８で示される１価の基または−ＮＲ９Ｒ１０で示される１価の基から水素原子を１つ取り除いた構造である。）を示す。Ｒ４が前記ポリマー成分と結合する構造である場合、Ｒ４に結合する前記連結基は、アミド基、エステル基、ウレタン基、ウレア基、アルキレン基、フェニレン基、−Ｏ−で示される２価の基、−ＮＲ６−で示される２価の基（Ｒ６は、水素原子、アルキル基、フェニル基、または、アラルキル基を示す。）、または、−ＮＨＣＨ（ＣＨ２ＯＨ）−で示される２価の基である。
Ｒ５は、アルキル基、フェニル基、−ＯＲ８で示される１価の基（Ｒ８は、水素原子、アルキル基、フェニル基、または、アラルキル基を示す。）、または、−ＮＲ９Ｒ１０で示される１価の基（Ｒ９およびＲ１０は、それぞれ独立して、水素原子、アルキル基、フェニル基、または、アラルキル基を示す。）、あるいは、単結合または連結基を介して前記ポリマー成分が結合する構造（この場合、アルキル基、フェニル基、−ＯＲ８で示される１価の基または−ＮＲ９Ｒ１０で示される１価の基から水素原子を１つ取り除いた構造である。）を示す。Ｒ５が前記ポリマー成分と結合する構造である場合、Ｒ５に結合する前記連結基は、アルキレン基、フェニレン基、−Ｏ−で示される２価の基、−ＮＲ６−で示される２価の基（Ｒ６は、水素原子、アルキル基、フェニル基、または、アラルキル基を示す。）、−ＮＨＣＯＣ（ＣＨ３）２−で示される２価の基、または、−ＮＨＣＨ（ＣＨ２ＯＨ）−で示される２価の基である。
Ａｒは、アリール基、あるいは、単結合または連結基を介して前記ポリマー成分が結合する構造（この場合、アリール基から水素原子を１つ取り除いた構造である。）を示す。Ａｒが前記ポリマー成分と結合する構造である場合、Ａｒに結合する前記連結基は、アミド基、エステル基、ウレタン基、ウレア基、アルキレン基、フェニレン基、−Ｏ−で示される２価の基、−ＮＲ６−で示される２価の基（Ｒ６は、水素原子、アルキル基、フェニル基、または、アラルキル基を示す。）、または、−ＮＨＣＨ（ＣＨ２ＯＨ）−で示される２価の基である。）
【請求項６】
前記顔料分散剤の１分子当たりの吸着成分の個数が、１以上６以下である請求項１〜５のいずれか１項に記載のトナーの製造方法。
【請求項７】
前記結晶性ポリエステル樹脂が、
下記式（４）で示される脂肪族ジカルボン酸と、
下記式（５）で示される脂肪族ジオールと、
を反応させることによって得られたポリエステル樹脂である請求項１〜６のいずれか１項に記載のトナーの製造方法。
【化５】
2015064566.tif 000005
（式（４）中、ｍは、４以上１６以下の整数を示す。）
【化６】
2015064566.tif 000006
（式（５）中、ｎは、４以上１６以下の整数を示す。）
【請求項８】
前記顔料分散剤の酸価が、１０ｍｇＫＯＨ／ｇ以下である請求項１〜７のいずれか１項に記載のトナーの製造方法。
【請求項９】
前記顔料分散剤のアミン価が、５ｍｇＫＯＨ／ｇ以下である請求項１〜８のいずれか１項に記載のトナーの製造方法。
【請求項１０】
前記顔料が、π共役平面を持つ顔料である請求項１〜９のいずれか１項に記載のトナーの製造方法。
【請求項１１】
前記顔料が、カーボンブラック、ピグメントイエロー１５５、ピグメントレッド１２２およびピグメントレッド１５０からなる群より選択される少なくとも１種である請求項１〜１０のいずれか１項に記載のトナーの製造方法。
【請求項１２】
ビニル系共重合体、顔料、顔料分散剤および結晶性ポリエステル樹脂を含有するトナー粒子を有するトナーであって、
前記顔料分散剤が、以下の（ｉ）〜（ｖ）を満たすことを特徴とするトナー：
（ｉ）前記顔料分散剤のＳＰ値（Ａ）と前記結晶性ポリエステル樹脂のＳＰ値（Ｂ）との差（Ａ−Ｂ）が、−１．５以上＋０．８以下であり、
（ｉｉ）前記顔料分散剤のＳＰ値（Ａ）と前記ビニル系共重合体のＳＰ値（Ｃ）との差（Ａ−Ｃ）が、−１．１以上＋１．２以下であり、
（ｉｉｉ）前記顔料分散剤が、前記ビニル系共重合体と前記顔料に吸着する吸着成分とを有し、
（ｉｖ）前記顔料分散剤の前記ビニル系共重合体の数平均分子量（Ｍｎ）が、３０００以上２００００以下であり、
（ｖ）前記顔料分散剤の前記顔料への吸着率が、３０％以上である。
【手続補正２】
【補正対象書類名】明細書
【補正対象項目名】０００７
【補正方法】変更
【補正の内容】
【０００７】
本発明は、重合性単量体、顔料、顔料分散剤および結晶性ポリエステル樹脂を含有するトナー粒子を有するトナーの製造方法であって、
水系媒体中で、前記重合性単量体、前記顔料、前記顔料分散剤および前記結晶性ポリエステル樹脂を含有する重合性単量体組成物の粒子を形成し、
前記粒子に含有される前記重合性単量体を重合させることによってトナー粒子を得、
前記重合性単量体が、ビニル系共重合体を得るための重合性単量体であり、
前記顔料分散剤が、以下の（ｉ）〜（ｖ）を満たすことを特徴とするトナーである。
（ｉ）前記顔料分散剤のＳＰ値（Ａ）と前記結晶性ポリエステル樹脂のＳＰ値（Ｂ）の差（Ａ−Ｂ）が、−１．５以上＋０．８以下であり、
（ｉｉ）前記顔料分散剤のＳＰ値（Ａ）と前記ビニル系共重合体のＳＰ値（Ｃ）の差（Ａ−Ｃ）が、−１．１以上＋１．２以下であり、
（ｉｉｉ）前記顔料分散剤が、ポリマー成分と顔料に吸着する吸着成分とを有し、前記ポリマー成分が、ビニル系重合体であり、
（ｉｖ）前記顔料分散剤のポリマー成分の数平均分子量（Ｍｎ）が、３０００以上２００００以下であり、
（ｖ）前記顔料分散剤の前記顔料への吸着率が、３０％以上である、ことを特徴とするトナー粒子を有するトナーの製造方法に関する。
さらに本発明は、ビニル系共重合体、顔料、顔料分散剤および結晶性ポリエステル樹脂を含有するトナー粒子を有するトナーであって、
前記顔料分散剤が、以下の（ｉ）〜（ｖ）を満たすことを特徴とするトナー：
（ｉ）前記顔料分散剤のＳＰ値（Ａ）と前記結晶性ポリエステル樹脂のＳＰ値（Ｂ）との差（Ａ−Ｂ）が、−１．５以上＋０．８以下であり、
（ｉｉ）前記顔料分散剤のＳＰ値（Ａ）と前記ビニル系共重合体のＳＰ値（Ｃ）との差（Ａ−Ｃ）が、−１．１以上＋１．２以下であり、
（ｉｉｉ）前記顔料分散剤が、前記ビニル系共重合体と前記顔料に吸着する吸着成分を有し、
（ｉｖ）前記顔料分散剤の前記ビニル系共重合体の数平均分子量（Ｍｎ）が、３０００以上２００００以下であり、
（ｖ）前記顔料分散剤の前記顔料への吸着率が、３０％以上である、ことを特徴とするトナー粒子を有するトナーに関する。